(57)【要約】【課題】  利用者のカードキーなどに機械式駐車設備の認証機能を容易に付加できるようにする識別コード式認証シールを提供すること。【解決手段】  機械式駐車設備において認証を行う認証シールであって、シール本体部は、一方の面に貼着面を有し、他方の面に前記機械式駐車設備の利用時に認証する識別コードを有している。【選択図】  図１
2018012969.tif 000002
【特許請求の範囲】
【請求項１】
機械式駐車設備において認証を行う認証シールであって、
シール本体部は、一方の面に貼着面を有し、他方の面に前記機械式駐車設備の利用時に認証する識別コードを有している、
ことを特徴とする機械式駐車設備の識別コード式認証シール。
【請求項２】
前記識別コードは、不可視インクで印刷されている、
請求項１に記載の機械式駐車設備の識別コード式認証シール。
【請求項３】
前記識別コードは、バーコード又は２次元コードで構成されている、
請求項１又は２に記載の機械式駐車設備の識別コード式認証シール。
【請求項４】
カードキー利用設備に付帯する機械式駐車設備の識別コード式認証システムであって、
前記カードキー利用設備は、カードキー式ロック設備を備え、
前記機械式駐車設備は、識別コード式認証手段を備え、
前記識別コード式認証手段は、一方の面が貼着面で他方の面に前記機械式駐車設備の利用時に認証する識別コードを具備した識別コード式認証シールと、前記識別コード式認証シールの識別コードを読み取る読取り部と、を備え、
前記カードキー式ロック設備のカードキーに、前記識別コード式認証シールが貼着されている、
ことを特徴とする機械式駐車設備の識別コード式認証システム。
【請求項５】
前記識別コードは、不可視インクで印刷されており、
前記読取り部は、不可視インクの前記識別コードを読み取る可視化読取り部を有している、
請求項４に記載の機械式駐車設備の識別コード式認証システム。
【発明の詳細な説明】
【技術分野】
【０００１】
本発明は、建物等に併設された機械式駐車設備の利用者であることを認証する識別コード式認証シールと、その認証システムに関する。
【背景技術】
【０００２】
従来、機械式駐車設備においては、入出庫を行う前に利用者であることを認証する必要がある。この認証には、例えば、暗証番号による認証や、ＩＤカードによる認証、リモコンによる認証、その他、指紋や静脈などの生体認証、など（以下、総称して単に「認証手段」という）による認証が知られている。この認証手段の１つとして、バーコードを用いた認証がある。
【０００３】
例えば、バーコードを用いた認証に関する先行技術として、利用者に対してバーコードが与えられ、利用者は入出庫時にバーコードをバーコードリーダにかざして認証するものがある（例えば、特許文献１参照）。
【０００４】
また、他の先行技術として、契約車両に装備する車両用バーコードと、契約車両の使用者が所持する使用者用バーコードとを備え、車両用バーコードが検出されると入庫処理を開始させ、使用者用バーコードが検出されると出庫処理を開始させるものがある（例えば、特許文献２参照）。
【先行技術文献】
【特許文献】
【０００５】
【特許文献１】特開平７−２６９１４７号公報
【特許文献２】特開２０１５−１１３６２５号公報
【発明の概要】
【発明が解決しようとする課題】
【０００６】
ところで、近年、マンションなどの集合住宅（以下、単に「集合住宅」という）の付帯設備として機械式駐車設備が設けられることが多い。このような機械式駐車設備は、予め利用者の認証手段が登録され、利用者が認証手段で認証することによって車両の入出庫が可能となる。また、会社などでも近隣の機械式駐車設備に複数台の利用契約をする場合もある。この場合、複数台の認証手段が登録され、利用者が認証手段で認証することによって車両の入出庫が可能となる。近年の機械式駐車設備における認証手段としては、利用者以外の操作を防ぐために認証用ＩＤカードを採用する場合がある。
【０００７】
一方、近年の集合住宅などにおいては、出入口扉のキーとして、パンチカード式キー、磁気カード式キー、ハイブリッドカード式キー、非接触式ＩＣカード式キーなどのカードキーを備えたものが増えている。特に、オー卜ロック設備が設置されている集合住宅では、ＩＣカードキーが多い。また、会社などでは、社員ＩＤカードによる認証によって入室が可能になるオートロック設備が設置されることが多い。
【０００８】
このため、集合住宅などの機械式駐車設備利用者は、住居の出入口扉のキーであるカードキーと機械式駐車設備の認証用ＩＤカードを携帯する必要がある。また、会社などの機械式駐車設備利用者は、社員ＩＤカードと機械式駐車設備の認証用ＩＤカードを携帯する必要がある。しかし、機械式駐車設備の認証用ＩＤカードは、携帯することを忘れる場合がある。
【０００９】
この対策として、例えば、集合住宅のカードキーや社員ＩＤカードで機械式駐車設備の認証もできれば利便性が向上する。しかし、機械式駐車設備の認証システムを集合住宅や会社のオートロック設備と連携させるには、システムが大規模になりコストアップにつながる。しかも、機械式駐車設備の認証システムを各々のオー卜ロック設備の仕様に合わせた認証システムに設計変更する必要があり、時間、労力及び費用を要する。
【００１０】
なお、上記特許文献１，２には、認証手段としてバーコードを用いることは記載されているが、集合住宅などのカードキーや社員ＩＤカードとは別に機械式駐車設備の認証用バーコードを携帯する必要がある。
【００１１】
そこで、本発明は、利用者のカードキーなどに機械式駐車設備の認証機能を容易に付加できるようにする識別コード式認証シールと、その認証システムを提供することを目的とする。
【課題を解決するための手段】
【００１２】
上記目的を達成するために、本発明に係る機械式駐車設備の識別コード式認証シールは、機械式駐車設備において認証を行う認証シールであって、シール本体部は、一方の面に貼着面を有し、他方の面に前記機械式駐車設備の利用時に認証する識別コードを有している。この明細書及び特許請求の範囲の書類中における「識別コード」は、例えば、バーコード、２次元コードなどを含む。
【００１３】
この構成により、シール本体部の貼着面を利用者のカードキーに貼着することで、利用者が携帯するカードキーに機械式駐車設備の利用時に認証する機能を容易に付加することができる。
【００１４】
また、前記識別コードは、不可視インクで印刷されていてもよい。この明細書及び特許請求の範囲の書類中における「不可視インク」は、紫外線などを照射することで可視化できて読み取ることができ、通常、無色で肉眼では見えないインクをいう。
このように構成すれば、通常、識別コードが無色で見えないため、識別コードをカメラ等で撮影して複製することなどを防止できる。
【００１５】
また、前記識別コードは、バーコード又は２次元コードで構成されていてもよい。
このように構成すれば、識別コードとして普及しているバーコード又は２次元コードを用いることで、普及している装置によって認証シールを作成することができる。
【００１６】
一方、本発明に係る機械式駐車設備の識別コード式認証システムは、カードキー利用設備に付帯する機械式駐車設備の識別コード式認証システムであって、前記カードキー利用設備は、カードキー式ロック設備を備え、前記機械式駐車設備は、識別コード式認証手段を備え、前記識別コード式認証手段は、一方の面が貼着面で他方の面に前記機械式駐車設備の利用時に認証する識別コードを具備した識別コード式認証シールと、前記識別コード式認証シールの識別コードを読み取る読取り部と、を備え、前記カードキー式ロック設備のカードキーに、前記識別コード式認証シールが貼着されている。この明細書及び特許請求の範囲の書類中における「カードキー利用設備」は、マンションなどの集合住宅、会社などを含む。また、「カードキー」は、パンチカード式キー、磁気カード式キー、ハイブリッドカード式キー、非接触式ＩＣカード式キーなどのカードキーを含む。
【００１７】
この構成により、カードキー利用設備における機械式駐車設備の利用者が常に携帯するカードキーに識別コード式認証シールが貼着されているため、機械式駐車設備を利用するための識別コード式認証シールを忘れることなく常に携帯するようにできる。しかも、カードキー利用設備にオートロック設備などが設置されていたとしても、そのオートロック設備とは全く独立した機械式駐車設備の識別コード式認証手段の識別コード式認証シールをカードキーに貼着することで利用できるため、大掛かりな連携システムの構築などを必要としない。このように、カードキーに機械式駐車設備の認証機能を容易に付加することができる。
【００１８】
また、前記識別コードは、不可視インクで印刷されており、前記読取り部は、不可視インクの前記識別コードを読み取る可視化読取り部を有していてもよい。
このように構成すれば、通常、識別コードが無色で見えないため、識別コードをカメラ等で撮影して複製することなどを防止できる。そして、機械式駐車設備における認証時には、可視化読取り部で不可視インクの識別コードを適切に読み取ることができる。
【発明の効果】
【００１９】
本発明によれば、利用者のカードキーを用いて機械式駐車設備の認証ができ、機械式駐車設備を利用するための認証手段を利用者が携帯することを忘れるのを防止できる。しかも、カードキー利用設備に付帯する機械式駐車設備でも認証システムを容易に構築でき、コストも抑えることが可能となる。これにより、利用者の利便性を向上させることが可能となる。
【図面の簡単な説明】
【００２０】
【図１】図１は、本発明の第１実施形態に係る識別コード式認証シールを示す正面図である。
【図２】図２は、本発明の第２実施形態に係る識別コード式認証シールを示す正面図である。
【図３】図３は、本発明に係る識別コード式認証シールを貼着したカードキーを示す図面であり、（Ａ）は図１に示す識別コード式認証シールを貼着したカードキーの正面図、（Ｂ）は図２に示す識別コード式認証シールを貼着したカードキーの正面図である。
【図４】図４は、機械式駐車設備における運転盤の一例を示す正面図である。
【図５】図５は、図４に示す運転盤においてカードキーで認証する一例を示す正面図である。
【発明を実施するための形態】
【００２１】
以下、本発明の実施形態を図面に基づいて説明する。以下の実施形態では、集合住宅のカードキー式ロック設備のＩＣカードキー、及び会社のＩＤカードなどを総称して「カードキー」として説明する。
【００２２】
（識別コード式認証シールの例）
図１は、第１実施形態に係る識別コード式認証シール１０を示す正面図であり、図２は、第２実施形態に係る識別コード式認証シール２０を示す正面図である。
【００２３】
図１は、識別コード３０としてバーコード３１を用いた識別コード式認証シール１０である。識別コード式認証シール１０のシール本体部１１は、図示する表面である一方の面に機械式駐車設備において認証を行うバーコード３１が印刷され、裏面である他方の面が貼着面４０となっている。貼着面４０には、粘着層が設けられており、後述するように、カードキー５０に貼着して使用することができる（図３（Ａ））。
【００２４】
図２は、識別コード３０として２次元コード３２（例えば、ＱＲコード（登録商標））を用いた識別コード式認証シール２０である。識別コード式認証シール２０のシール本体部２１は、図示する表面である一方の面に機械式駐車設備において認証を行う２次元コード３２が印刷され、裏面である他方の面が貼着面４０となっている。貼着面４０には、粘着層が設けられており、後述するように、カードキー６０に貼着して使用することができる（図３（Ｂ））。
【００２５】
さらに、上記バーコード３１及び２次元コード３２（識別コード３０）は、不可視インクで印刷するようにしてもよい。識別コード３０を不可視インクで印刷することにより、通常、識別コード３０が無色で見えないため、他人が識別コード３０をカメラ等で撮影して複製することなどを防止できる。不可視インクとしては、例えば、紫外線を照射することで可視化されて読み取ることができるインクを用いることができる。
【００２６】
識別コード３０を不可視インクとした場合、後述する運転盤７０の読取り部７２（図４）の近傍に不可視インクの識別コード３０が光る特殊なライト（例えば、紫外線ライト）を設置して、識別コード３０の読み取り操作時に、識別コード３０にライトが照射されて可視化されるようにすればよい。読取り部７２をこのような可視化読取り部とすれば、認証時のみ不可視インクの識別コード３０の位置が確認でき、肉眼では見えない識別コード３０を適切な位置にかざせるようにできる。
【００２７】
また、２次元コード３２の場合、他の模様に囲まれた中に２次元コード３２を印刷するようにしてもよい。２次元コード３２は、通常、肉眼では確認が難しい印刷でも、読取り部７２にかざせば２次元コード３２の場所を見つけ出すことができる。さらに、２次元コード３２の場合、横方向と縦方向の両方向に情報を持たせることができるため、上記バーコード３１に比べてより多くの情報を識別コード３０に持たせることもできる。
【００２８】
これらの識別コード３０は、以下に説明するようにカードキー５０，６０に貼着して使用できる大きさのシール本体部１１，２１に印刷される。
【００２９】
（識別コード式認証シールを貼着したカードキーの例）
図３は、識別コード式認証シール１０，２０を貼着したカードキー５０，６０を示す図面であり、（Ａ）は図１に示す識別コード式認証シール１０（バーコード３１）を貼着したカードキー５０の正面図、（Ｂ）は図２に示す識別コード式認証シール２０（２次元コード３２）を貼着したカードキー６０の正面図である。
【００３０】
例えば、集合住宅がカードキー式のロック設備の場合、自身の住居のカードキーが住民に配られる。一方、集合住宅の住民の中で機械式駐車設備を利用する利用者には、識別コード３０（バーコード３１又は２次元コード３２）が印刷された識別コード式認証シール１０又は２０が配布される。そして、利用者は、その識別コード式認証シール１０又は２０を自身のカードキーに貼着することで、機械式駐車設備の認証も可能となる住居のカードキー５０又は６０にすることができる。会社におけるカードキー（ＩＤカード）の場合も同様であり、社員に識別コード３０（バーコード３１又は２次元コード３２）が印刷された識別コード式認証シール１０又は２０が配布される。そして、社員は、その識別コード式認証シール１０又は２０を自身のカードキーに貼着することで、機械式駐車設備の認証も可能となるカードキー５０又は６０にすることができる。
【００３１】
また、利用者や会社が複数台の利用契約をする場合があるが、この場合には、１枚のカードキーに利用契約台数分の識別コード式認証シール１０又は２０を貼着することで、１枚のカードキー５０又は６０で複数台分の認証が可能となるようにできる。
【００３２】
なお、この図のカードキー５０，６０はＩＣカードキーを例にしているが、カードキー５０，６０としては、他のパンチカード式、磁気カード式、ハイブリッドカード式、社員ＩＤカードなどでもよく、この実施形態に限定されるものではない。
【００３３】
（機械式駐車設備における運転盤の例）
図４は、機械式駐車設備における運転盤７０の一例を示す正面図である。例えば、カードキー利用設備である集合住宅に付帯する機械式駐車設備の運転盤７０である。
【００３４】
この実施形態の運転盤７０には、タッチパネル式の表示部７１と、識別コード３０の読取り部７２と、安全確認ボタン７５、終了扉閉ボタン７６、及び非常停止ボタン７７が備えられている。表示部７１には、利用者が行う操作の案内や、「入口番号」、「呼番号」、「待ち時間」などの情報が表示される。また、「安全確認」、「終了扉閉」なども表示部７１に表示され、利用者が表示部７１をタッチすることで選択できる。識別コード３０の読取り部７２には、認証可能状態で点灯している緑ランプ７３と、識別コード式認証シール１０，２０をかざした時に点灯する赤ランプ７４とが設けられている。なお、この実施形態の運転盤７０は一例であり、運転盤７０はこの構成に限定されるものではない。
【００３５】
（カードキーの使用例）
図５は、図４に示す運転盤７０の読取り部７２においてカードキー６０で認証する一例を示す正面図である。この例では、識別コード３０として２次元コード３２を有する識別コード式認証シール２０を貼付したカードキー６０を図示して説明する。また、説明上、２次元コード３２を上面にした状態で誇張して示す。
【００３６】
利用者が機械式駐車設備を使用する際は、図示するように、カードキー６０の識別コード式認証シール２０を読取り部７２にかざすと、その２次元コード３２（識別コード３０）が読み取られる。この読取り部７２の部分と、識別コード式認証シール１０，２０とを備えた構成が、識別コード式認証手段である。読取り部７２で読み取られた識別コード３０の情報は、図示しない記憶部に記憶された利用者の情報に基づいて認証される。
【００３７】
また、利用者や会社が複数台の利用契約をしている場合には、上記した利用契約台数分の識別コード式認証シール２０が貼着されたカードキー６０を読取り部７２にかざすことで、それらのいずれかの識別コード式認証シール２０の２次元コード３２（識別コード３０）が読み取られて認証することができる。したがって、１枚のカードキー６０で複数台分の認証が可能である。
【００３８】
さらに、識別コード３０が肉眼では見えない不可視インクで印刷されている場合には、識別コード３０を読取り部７２にかざすことで、読取り部７２の近傍から、例えば、紫外線が照射されて識別コード３０が可視化され、その識別コード３０が読取り部７２で読み取られる。
【００３９】
したがって、上記識別コード式認証シール２０（１０）を貼着したカードキー６０（５０）によれば、そのカードキー６０（５０）によって機械式駐車設備の認証が可能となる。つまり、カードキー式ロック設備が設置されている集合住宅などにおいて、そのカードキー６０（５０）を用いて住居の扉の開錠とともに機械式駐車設備の認証も可能となる。
【００４０】
このように、カードキー式ロック設備を備えた集合住宅などのカードキー６０（５０）に機械式駐車設備の認証手段となる識別コード式認証シール１０，２０を貼付し、機械式駐車設備にその識別コード３０を読み取る読取り部７２を備えさせることによって、１つのカードキー６０（５０）で住居などの開錠と機械式駐車設備の利用時における認証とが可能な識別コード式認証システム８０を構成することができる。
【００４１】
これにより、特に、集合住宅などの建物出入口扉のカードキー（ＩＣカード）は、外出時に必ず所持するので、機械式駐車設備における認証手段（識別コード式認証シール１０，２０）を携帯することを忘れるのを防止できる。その上、機械式駐車設備の利用者が携帯するキーを減らし、利用者の利便性向上に貢献することができる。また、住居の引越しや転勤などの場合には、出入口扉のカードキー５０，６０と機械式駐車設備の識別コード式認証シール１０，２０を一括で返却することもできる。
【００４２】
（総括）
以上のように、上記識別コード式認証シール１０，２０によれば、機械式駐車設備の認証を識別コード３０方式とし、その識別コード３０を有する識別コード式認証シール１０，２０をカードキー利用設備のカードキー５０，６０に貼着することで、カードキー利用設備の開錠と機械式駐車設備の認証とが１枚のカードキー５０，６０で行える。よって、利用者の利便性を向上させることが可能となる。しかも、識別コード式認証シール１０，２０は、汚損や変更の貼り替えも容易に行える。
【００４３】
また、汎用性の高い識別コード３０を有する識別コード式認証シール１０，２０をカードキー５０，６０に貼着するだけで、カードキー利用設備のカードキー５０，６０の種類や仕様の影響を受けることがなく、１つで住居の扉の開錠と機械式駐車設備の認証とが可能なカードキー５０，６０を構成することができる。よって、集合住宅などのカードキー式ロック設備と機械式駐車設備を連携させる必要もなく、大規模なシステムを構築する時間、労力及び費用を要することなく識別コード式認証システム８０を構成することが可能となる。
【００４４】
さらに、識別コード３０を不可視インクで印刷すれば、識別コード３０の存在を他人から気づかれないようにでき、他人がカメラで撮って複製することなどを防止することが可能となる。
【００４５】
なお、上記した実施形態では、カードキー利用設備として集合住宅を例にし、その集合住宅のオートロック設備におけるカードキーを主に説明したが、会社が入るビルにおける社員証などのＩＤカードであっても、識別コード式認証シール１０，２０を貼着することで機械式駐車設備の認証が可能となり、カードキー５０，６０は上記実施形態に限定されるものではない。
【００４６】
また、上記した実施形態では、識別コード３０としてバーコード３１と２次元コード３２を例に説明したが、機械式駐車設備の認証ができる手段であれば、識別コード３０は上記実施形態に限定されるものではない。
【００４７】
さらに、上記した実施形態は一例を示しており、本発明の要旨を損なわない範囲での種々の変更は可能であり、本発明は上記した実施形態に限定されるものではない。
【符号の説明】
【００４８】
１０  識別コード式認証シール
１１  シール本体部
２０  識別コード式認証シール
２１  シール本体部
３０  識別コード
３１  バーコード
３２  ２次元コード
４０  貼着面
５０  カードキー
６０  カードキー
７０  運転盤
７２  読取り部
８０  識別コード式認証システム
【図１】
2018012969.tif 000003
【図２】
2018012969.tif 000004
【図３】
2018012969.tif 000005
【図４】
2018012969.tif 000006
【図５】
2018012969.tif 000007